(57)【要約】【課題】  インストルメントパネルとチルトメータのカバーとの間の隙間への物落ちを防止できるようにする。【解決手段】  インストルメントパネル１に対して、高さ調整可能にチルトメータ２を取付けた車両用計器装置構造であって、チルトメータ２のカバー３の背面に中見得防止部材４を取付け、中見得防止部材４に落下物案内部５を設けるようにしている。【選択図】        図１
2005239097.tif 000002
【特許請求の範囲】
【請求項１】
インストルメントパネルに対して、高さ調整可能にチルトメータを取付けた車両用計器装置構造において、
前記チルトメータのカバーの背面に中見得防止部材を取付け、該中見得防止部材に落下物案内部を設けたことを特徴とする車両用計器装置構造。
【請求項２】
前記落下物案内部が、前記中見得防止部材の背面に沿って延びる樋状を呈していることを特徴とする請求項１記載の車両用計器装置構造。
【請求項３】
前記インストルメントパネルの下縁部に、ステアリングコラムを通すための切欠部が形成され、該切欠部の周囲に段差凹部が設けられ、
前記チルトメータのカバーが、前記段差凹部を上から覆い隠すように設けられ、
前記落下物案内部が、前記段差凹部と前記チルトメータのカバーとの間に介在されると共に、高さ調整の前後に亘って前記段差凹部の突端の下方に位置することを特徴とする請求項１または請求項２記載の車両用計器装置構造。
【請求項４】
落下物案内部の下端部に、落下物を受ける受皿部を設けたことを特徴とする請求項１ないし請求項３のいずれか１項に記載の車両用計器装置構造。
【発明の詳細な説明】
【技術分野】
【０００１】
この発明は、車両用計器装置構造に関するものである。
【背景技術】
【０００２】
自動車などの車両には、車室内の前部にインストルメントパネルが設けられている。このインストルメントパネルの運転席側の下縁部には切欠部が形成され、この切欠部にステアリングコラムが通されている。
【０００３】
そして、ステアリングコラムの上方にはメータ装置が配設されている。このようなメータ装置には、インストルメントパネルに固定された固定式メータと、インストルメントパネルに対して高さ調整可能に設けられたチルトメータとが存在する（例えば、特許文献１参照）。
【特許文献１】特開２００１−１１３９８０号公報
【発明の開示】
【発明が解決しようとする課題】
【０００４】
しかしながら、上記したチルトメータでは、インストルメントパネルとチルトメータのカバーとの間にできる隙間にコインなどの小物が落ちると、出てこなくなるおそれがあるという問題があった。
【課題を解決するための手段】
【０００５】
上記課題を解決するために、請求項１に記載された発明では、インストルメントパネルに対して、高さ調整可能にチルトメータを取付けた車両用計器装置構造において、前記チルトメータのカバーの背面に中見得防止部材を取付け、該中見得防止部材に落下物案内部を設けた車両用計器装置構造を特徴としている。
【０００６】
請求項２に記載された発明では、前記落下物案内部が、前記中見得防止部材の背面に沿って延びる樋状を呈している請求項１記載の車両用計器装置構造を特徴としている。
【０００７】
請求項３に記載された発明では、前記インストルメントパネルの下縁部に、ステアリングコラムを通すための切欠部が形成され、該切欠部の周囲に段差凹部が設けられ、前記チルトメータのカバーが、前記段差凹部を上から覆い隠すように設けられ、前記落下物案内部が、前記段差凹部と前記チルトメータのカバーとの間に介在されると共に、高さ調整の前後に亘って前記段差凹部の突端の下方に位置する請求項１または請求項２記載の車両用計器装置構造を特徴としている。
【０００８】
請求項４に記載された発明では、落下物案内部の下端部に、落下物を受ける受皿部を設けた請求項１ないし請求項３のいずれか１項に記載の車両用計器装置構造を特徴としている。
【発明の効果】
【０００９】
請求項１の発明によれば、チルトメータのカバーの背面に取付けた中見得防止部材により、チルトメータのカバーで隠されている内側部分が見得ることが防止される。また、中見得防止部材の背面に設けた落下物案内部によりインストルメントパネルとチルトメータのカバーとの間の隙間への落下物を外へ出すように案内することができる。
【００１０】
請求項２の発明によれば、落下物案内部を、カバーの背面に沿って延びる樋状としたことにより、インストルメントパネルとチルトメータのカバーとの間の隙間への落下物を、樋状の落下物案内部が受けてスムーズに外へ案内することができる。
【００１１】
請求項３の発明によれば、インストルメントパネルの下縁部に、ステアリングコラムを通すための切欠部が形成され、切欠部の周囲に段差凹部が設けられ、チルトメータのカバーが、段差凹部を上から覆い隠すように設けられた場合に、落下物案内部を、段差凹部と前記チルトメータのカバーとの間に介在させると共に、高さ調整の前後に亘って前記段差凹部の突端の下方に位置させるようにすることにより、落下物を確実に受けて外へ案内することができる。
【００１２】
請求項４の発明によれば、落下物案内部の下端部に設けた受皿部が落下物を受けることにより、受皿部から落下物を容易に回収することができる。
【発明を実施するための最良の形態】
【００１３】
インストルメントパネルとチルトメータのカバーとの間の隙間への物落ちを防止できるようにするという目的を、チルトメータのカバーの背面に中見得防止部材を取付け、中見得防止部材に落下物案内部を設ける、という手段で実現した。
【実施例１】
【００１４】
以下、本発明を具体化した実施例について、図示例と共に説明する。
【００１５】
図１〜図５は、この発明の実施例を示すものである。
【００１６】
まず、構成を説明すると、図１、図２に示すように、自動車などの車両には、車室内の前部にインストルメントパネル１が設けられる。このインストルメントパネル１に対して高さ調整可能にチルトメータ２が設けられる。このチルトメータ２は、メータ本体２ａと、このメータ本体２ａを覆うカバー３とを備えている。また、メータ本体２ａとカバー３との間には、メータ本体２ａの外周を囲むようにフード２ｂが取付けられている。カバー３は、芯材３ａに柔軟な表皮３ｂを貼付けた構造を備えている。
【００１７】
この実施例のものでは、チルトメータ２のカバー３の背面に中見得防止部材４を取付ける。この中見得防止部材４は、図３に示すように、インストルメントパネル１と対応する曲面形状を備えていると共に、チルトメータ２のカバー３の背面側の縁部と対応するほぼ馬蹄形状を呈している。この中見得防止部材４は、カバー３の背面側の端末処理部材としての機能をも備えている。中見得防止部材４は、カバー３に対して、ネジで固定される。そして、この中見得防止部材４に落下物案内部５を設ける。
【００１８】
この落下物案内部５は、中見得防止部材４の背面に沿って延びる樋状を呈している。即ち、ほぼ馬蹄形状をした中見得防止部材４の内側縁部からほぼ車両前方へ張出した樋状をしている。この樋状の落下物案内部５は、中間部が高く両端部が低くなった、正面視略アーチ状をしている。落下物案内部５の両端部は車室床へと向けられている。
【００１９】
より具体的には、図４に示すように、インストルメントパネル１の運転席側の下縁部には切欠部１１が形成され、この切欠部１１に図示しないステアリングコラムが通される。このステアリングコラムの上方に対してチルトメータ２が配設される。切欠部１１の周囲に段差凹部１２が設けられる。この段差凹部１２はほぼ車両前方へ向けて凹む凹形状をしている。そして、図１、図２に示すように、チルトメータ２のカバー３が、段差凹部１２全体を上から覆い隠すように設けられる。この際、落下物案内部５が、段差凹部１２とチルトメータ２のカバー３との間に介在される。また、図２、図５に示すように、落下物案内部５が、高さ調整の前後に亘って段差凹部１２の突端１３の下方に位置するように構成する。
【００２０】
次に、この実施例の作用について説明する。
【００２１】
図２に示すように、インストルメントパネル１とチルトメータ２のカバー３との間にできる隙間ａにコインなどの小物が入った場合、コインなどの小物は、インストルメントパネル１の上面に沿ってチルトメータ２のカバー３の中へ入り込み、このままでは取り出せなくなってしまうおそれがあるが、段差凹部１２の突端１３まで滑り落ちると、段差凹部１２の突端１３の下方に配置された樋状の落下物案内部５によって受けられ、この樋状の落下物案内部５に案内されて車室床へと落下される。これにより、コインなどの小物は、確実に車室床へ落下されて回収することができる。これは、図４に示すように、チルトメータ２を下降させている場合でも、同様に機能する。
【００２２】
この実施例によれば、チルトメータ２のカバー３の背面に取付けた中見得防止部材４により、チルトメータ２のカバー３で隠されている内側部分が見得てしまうことが防止される。また、中見得防止部材４の背面に設けた落下物案内部５によりインストルメントパネル１とチルトメータ２のカバー３との間の隙間ａへの落下物を外へ出すように案内することができる。
【００２３】
また、落下物案内部５を、カバー３の背面に沿って延びる樋状としたことにより、インストルメントパネル１とチルトメータ２のカバー３との間の隙間ａへの落下物を、樋状の落下物案内部５が受けてスムーズに外へ案内することができる。
【００２４】
そして、インストルメントパネル１の下縁部に、ステアリングコラムを通すための切欠部１１が形成され、切欠部１１の周囲に段差凹部１２が設けられ、チルトメータ２のカバー３が、段差凹部１２を上から覆い隠すように設けられた場合に、落下物案内部５を、段差凹部１２とチルトメータ２のカバー３との間に介在させると共に、高さ調整の前後に亘って段差凹部１２の突端１３の下方に位置させるようにすることにより、落下物案内部５をインストルメントパネル１とチルトメータ２との間にうまく設置することができると共に、落下物を確実に受けて外へ案内することができる。
【実施例２】
【００２５】
図６、図７は、この発明を具体化した実施例２を示すものである。なお、実施例１と同一ないし均等な部分については、同一の符号を付すものとし、説明が省略されている部分の構成については、上記実施例１の記載を以て、この実施例の記載とする。
【００２６】
この実施例２のものでは、落下物案内部５の下端部に、落下物を受ける受皿部２１を追設している。それ以外は、実施例１と同じである。
【００２７】
この実施例２によれば、落下物案内部５の下端部に設けた受皿部２１が落下物を受けることにより、受皿部２１から落下物を容易に回収することができる。
【００２８】
上記以外の部分については、上記実施例１と同様の作用・効果を得ることができる。なお、記載を省略した作用・効果についての詳細は、上記実施例１の説明を以てこの実施例２の説明とする。
【００２９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００３０】
【図１】本発明の実施例１の斜視図である。
【図２】図１をＡ−Ａ矢視方向から見た断面図である。
【図３】図２の中見得防止部材の斜視図である。
【図４】チルトメータを外したインストルメントパネルの斜視図である。
【図５】図２と同様の作動図である。
【図６】本発明の実施例２の斜視図である。
【図７】図６の中見得防止部材の図３と同様の斜視図である。
【符号の説明】
【００３１】
１    インストルメントパネル
２    チルトメータ
３    カバー
４    中見得防止部材
５    落下物案内部
１１  切欠部
１２  段差凹部
１３  突端
２１  受皿部
【図１】
2005239097.tif 000003
【図２】
2005239097.tif 000004
【図３】
2005239097.tif 000005
【図４】
2005239097.tif 000006
【図５】
2005239097.tif 000007
【図６】
2005239097.tif 000008
【図７】
2005239097.tif 000009